(57)【要約】【課題】集塵室の蓋を容易に、しかも確実に開くことが出来る電気掃除機を提供する。【解決手段】後端が本体３に回動自在に取着され集塵室１を開閉する蓋１３と、蓋１３を開方向に付勢する付勢手段２９と、本体３に設けられた固定係合部２０と、蓋１３に設けられ蓋１３を閉じたときに固定係合部２０と係合して蓋１３を閉状態で維持する可動係合手段１５と、蓋１３に上下動可能に設けられ、可動係合手段１５と固定係合部２０との係合を解除する解除ボタン（図示せず）とを備え、解除ボタンを押して、可動係合手段１５と固定係合部２０との係合を解除したときに、解除ボタンの押し動作に連動して蓋１３を上方に持ち上げるもので、蓋１３の内壁と、集塵室１の開口縁１ａに設けられたパッキン１４とが密着していても、可動係合手段１５と固定係合部２０との係合が解除された後に蓋１３が持ち上げられるので、蓋１３を確実に開成することができる。【選択図】図２
2009189458.tif 000002
【特許請求の範囲】
【請求項１】
塵埃を捕集する集塵室と電動送風機を有する本体と、後端が前記本体に回動自在に取着され前記集塵室を開閉する蓋と、前記蓋を開方向に付勢する付勢手段と、前記本体に設けられた固定係合部と、前記蓋に設けられ、前記蓋を閉じたときに前記固定係合部と係合して前記蓋の閉状態を維持する可動係合手段と、前記蓋に上下動可能に設けられ、前記可動係合手段と前記固定係合部との係合を解除するための解除ボタンとを備え、前記解除ボタンを押して、前記可動係合手段と前記固定係合部との係合を解除した後、前記解除ボタンの押し動作に連動して前記蓋を上方に持ち上げるようにした電気掃除機。
【請求項２】
解除ボタンの押し動作に連動して、可動係合手段が前方に移動して、固定係合部との係合が解除されるようにした請求項１に記載の電気掃除機。
【請求項３】
可動係合手段を固定係合部に係合させる方向に付勢する第２の付勢手段を設け、前記可動係合手段を解除ボタンに当接させて、前記第２の付勢手段の付勢力で前記解除ボタンを上方に付勢するようにした請求項１又は２に記載の電気掃除機。
【請求項４】
解除ボタンを押して、可動係合手段と固定係合部との係合を解除した時に、蓋の開放端と本体とが離間する位置まで前記蓋が開くようにした請求項１〜３のいずれか１項に記載の電気掃除機。
【請求項５】
蓋を開方向に付勢する付勢手段を前記蓋の裏面に設けた請求項１〜４のいずれか１項に記載の電気掃除機。
【請求項６】
付勢手段をバネで構成し、前記バネに当接する板状リブを本体に設けたことを特徴とする請求項５に記載の電気掃除機。
【請求項７】
固定用の袋口を有する集塵袋を集塵室に着脱可能に構成し、前記袋口を集塵室の所定の位置に保持する袋口保持手段を蓋に設けると共に、前記蓋が開成した後、前記袋口保持手段が前記袋口の上端に当接して前記蓋の開状態を保持することを特徴とする請求項４〜６に記載の電気掃除機。
【発明の詳細な説明】
【技術分野】
【０００１】
本発明は、電気掃除機に関するもので、特に、電気掃除機の集塵室を開閉する蓋と本体との係合構造に関するものである。
【背景技術】
【０００２】
従来のこの種の電気掃除機として、掃除機本体の前部に配され塵埃を集塵する集塵室と、前記集塵室の上部開口を開閉すると共に開方向に弾性付勢された蓋と、集塵室の開口縁に取着され、蓋が閉まっている時に、掃除機本体と蓋との間に隙間が生じないようにするためのパッキンを有し、蓋側に可動係合部（尾錠）が、本体側に固定係合部がそれぞれ配され、可動係合部と固定係合部とが係合することで、蓋の閉状態を維持するようにしたものがある。掃除機本体の運転時には、集塵室内の負圧により、蓋は、パッキンに密着すると共に閉方向に沈み込むように構成されている。
【０００３】
蓋の上面には、解除ボタンが設けられ、その解除ボタンを押圧すると、可動係合部（尾錠）が開方向に回動して、固定係合部との係合が解除され、蓋が弾性付勢力で開くようになっている（例えば、特許文献１参照）。
【０００４】
しかしながら、上記のような従来の電気掃除機の構成では、解除ボタンを押圧することにより可動係合部が回動するが、その回動には制約が無く、またパッキンに弾性があるので、蓋、解除ボタン及び可動係合部が必要以上に沈んでしまう。このため、押した解除ボタンから指を離すと、可動係合部が元の位置に戻ろうとして回動し、蓋も開方向に回動するが、蓋の沈み込み量が大きいため、可動係合部が元の位置に戻る途中で、固定係合部に再び係合して、蓋が開かなくなってしまうという問題点があった。
【０００５】
この問題を解決するために、掃除機本体に開方向へ付勢されて回動自在に取付けられ、集塵室を開閉する蓋と、掃除機本体に取り付けられた固定係合部と、前記蓋に取付けられ、前記蓋を閉じたときに前記固定係合部と係合して前記蓋を閉状態に維持させる可動係合部と、前記蓋の上面に設けられ、前記可動係合部を回動させて前記固定係合部との係合を解除させる解除ボタンとを備え、前記解除ボタンを押して前記可動係合部と前記固定係合部との係合を解除するときに、前記蓋の沈み込みを規制する規制手段を前記可動係合部に設けた電気掃除機が提案されている（例えば、特許文献２参照）。
【０００６】
上記特許文献２に開示された従来の電気掃除機の構成によれば、解除ボタンを押して可動係合部と固定係合部との係合を解除するとき、蓋の沈み込みを規制する規制手段により、解除ボタンを押している時にのみ蓋の沈み込み量が少なく、蓋が開方向に近いところに位置することになる。解除ボタンを押す指が離れると、蓋、解除ボタン及び可動係合部が元の位置に戻ろうとするが、蓋の位置が開方向に近いので、可動係合部が元の位置に戻る途中で、固定係合部の先端部に再び係合するような事態が避けられ、解除ボタンを押した時に再掛りを防止でき、蓋を確実に開くことができる、というものである。
【特許文献１】実開昭６０−６３１４０号公報（実願昭５８−１５１８２９号のマイクロフイルム）
【特許文献２】特開２００７−７５３６４号公報
【発明の開示】
【発明が解決しようとする課題】
【０００７】
一回の掃除作業で集塵する塵埃が少ない場合は、集塵室内に配され塵埃を捕集する集塵袋の交換回数が減り、結果的に集塵室を開閉する蓋の開閉頻度が減り、一旦集塵袋を交換した後、蓋をしばらく開けないことがある。このような場合、電気掃除機の運転が停止しているにもかかわらず、蓋の内面がパッキンに密着したままになることがある。
【０００８】
上記特許文献２に開示されたような従来の電気掃除機の構造では、上記理由で蓋の内面がパッキンに密着し、その密着力が、蓋を開方向に弾性付勢している付勢手段の付勢力より強い場合、解除ボタンを押して、可動係合部と固定係合部との係合を一旦解除しても、蓋が上に、すなわち開く方向に回動しないため解除ボタンから指を離すと、可動係合部と固定係合部とが再び係合して、蓋が開けられなくなると言う課題があった。
【０００９】
上記の課題を解決する為に、蓋を開方向に付勢する付勢手段の付勢力を高める方法も考えられるが、これでは、蓋の内面がパッキンに密着していない通常の状態で、蓋を開けるために解除ボタンを押し、それから指を離した瞬間、付勢手段の強い付勢力により蓋が勢いよく開くことになり、非常に危険であり、また、蓋やそれに関連する部品に加わる応力が大きくなり、破損等が発生する恐れがある。また、付勢手段の付勢力が強いと、電気掃除機を運転している時に、蓋とパッキンとの密着ができなくなり、集塵室の密閉が不完全となり、吸込み性能を低下させてしまうなど、弊害が多いので、好ましくない。
【００１０】
本発明は、上記従来の課題を解決するもので、蓋を開方向に付勢する付勢手段の付勢力を必要以上に高めることなく、蓋を容易に、しかも確実に開くことが出来る電気掃除機を提供する事を目的とする。
【課題を解決するための手段】
【００１１】
前記従来の課題を解決するために、本発明の電気掃除機は、塵埃を捕集する集塵室と電動送風機を有する本体と、後端が前記本体に回動自在に取着され前記集塵室を開閉する蓋と、前記蓋を開方向に付勢する付勢手段と、前記本体に設けられた固定係合部と、前記蓋に設けられ、前記蓋を閉じたときに前記固定係合部と係合して前記蓋の閉状態を維持する可動係合手段と、前記蓋に上下動可能に設けられ、前記可動係合手段と前記固定係合部との係合を解除するための解除ボタンとを備え、前記解除ボタンを押して、前記可動係合手段と前記固定係合部との係合を解除したときに、前記解除ボタンの押し動作に連動して前記蓋を上方に持ち上げるようにしたもので、蓋の内壁と、集塵室の開口縁に設けられたパッキンとが密着していても、可動係合手段と固定係合部との係合が解除された後に蓋が持ち上げられるので、蓋を確実に開成することができる。また、蓋を上方に持ち上げる動作が、解除ボタンの押し動作に連動しているので、余分な部品も必要とせず、安価に構成することが出来る。
【発明の効果】
【００１２】
本発明の電気掃除機は、集塵室を開閉する蓋を開方向に付勢する付勢手段の付勢力を必要以上に高めることなく、蓋を容易に、しかも確実に開くことが出来る。
【発明を実施するための最良の形態】
【００１３】
第１の発明は、塵埃を捕集する集塵室と電動送風機を有する本体と、後端が前記本体に回動自在に取着され前記集塵室を開閉する蓋と、前記蓋を開方向に付勢する付勢手段と、前記本体に設けられた固定係合部と、前記蓋に設けられ、前記蓋を閉じたときに前記固定係合部と係合して前記蓋の閉状態を維持する可動係合手段と、前記蓋に上下動可能に設けられ、前記可動係合手段と前記固定係合部との係合を解除するための解除ボタンとを備え、前記解除ボタンを押して、前記可動係合手段と前記固定係合部との係合を解除した後、前記解除ボタンの押し動作に連動して前記蓋を上方に持ち上げるようにしたもので、蓋の内壁と、集塵室の開口縁に設けられたパッキンとが密着していても、可動係合手段と固定係合部との係合が解除された後に蓋が持ち上げられるので、蓋を確実に開成することができる。また、蓋を上方に持ち上げる動作が、解除ボタンの押し動作に連動しているので、余分な部品も必要とせず、安価に構成することが出来る。
【００１４】
第２の発明は、特に、第１の発明の解除ボタンの押し動作に連動して、可動係合手段が前方に移動して、固定係合部との係合が解除されるようにしたので、可動係合手段を回動させて固定係合部との係合を解除させる従来の構成に較べ、可動係合手段と固定係合部のそれぞれの接触部分の磨耗が少なく、しかも可動係合手段の動作範囲を小さく出来るので、電気掃除機の小型化を図ることができる。
【００１５】
第３の発明は、特に、第１又は第２の発明の可動係合手段を固定係合部に係合させる方向に付勢する第２の付勢手段を設け、前記可動係合手段を解除ボタンに当接させて、前記第２の付勢手段の付勢力で前記解除ボタンを上方に付勢するようにしたもので、１個の第２の付勢手段で、可動係合手段を固定係合部に係合させる方向に付勢すると共に、解除ボタンを上方に付勢できるので、電気掃除機を安価に構成することが出来る。
【００１６】
第４の発明は、特に、第１〜３のいずれか一つの発明の解除ボタンを押して、可動係合手段と固定係合部との係合を解除した時に、蓋の開放端と本体とが離間する位置まで前記蓋が開くようにするもので、蓋が開成したときの隙間を設けることで、指をその隙間に容易に入れることができ、蓋を開けるのが容易である。
【００１７】
第５の発明は、特に、第１〜４のいずれか一つの発明の蓋を開方向に付勢する付勢手段を前記蓋の裏面に設けたもので、蓋を開方向に付勢する付勢手段を本体に設けようとすると、その付勢手段が外から見えないようにして美観を確保するために、付勢手段を覆うカバー等が必要になるが、その付勢手段が蓋の裏面に配されているので、特にそれを覆うカバーなどの別部品を用いなくとも、通常の使用時に目につかず、美観を保つことが出来る。
【００１８】
第６の発明は、特に第５の発明において、付勢手段をバネで構成し、前記バネに当接する板状リブを本体に設けたことを特徴とするもので、蓋に対し下方に位置し塵埃が付着しやすい本体に付勢手段のような可動部を有していないので塵埃の噛み込みによる動作不良の発生を防止出来ると共に、一方の当接部を本体側に板状リブとして構成することで例え塵埃が付着しても容易に除去することが出来る。
【００１９】
第７の発明は、特に、第４〜６のいずれか一つの発明において、固定用の袋口を有する集塵袋を集塵室に着脱可能に構成し、前記袋口を集塵室の所定の位置に保持する袋口保持手段を蓋に設けると共に、前記蓋が開成した後、前記袋口保持手段が前記袋口の上端に当接して前記蓋の開状態を保持することを特徴とするもので、係合手段の解除後、解除ボタンから指を離した直後付勢手段により蓋が開いた後、蓋の開放端と本体と離間距離を所定以上に確保することが追加部品無しで実現することができる。
【００２０】
以下、本発明の実施の形態について、図面を参照しながら説明する。なお、この実施の形態によって本発明が限定されるものではない。
【００２１】
（実施の形態１）
本発明の第１の実施の形態における電気掃除機について、図１〜９を用いて説明する。
【００２２】
図１は、本実施の形態における電気掃除機の全体斜視図、図２（ａ）は、同電気掃除機の本体の斜視図（蓋が開いている状態）、図２（ｂ）は図２（ａ）のＡ部拡大図、図３（ａ）は、同電気掃除機の前部の要部断面図（蓋が開いてフリーの状態）、図３（ｂ）は、同電気掃除機の前部の要部断面図（蓋が閉じた状態）、図４（ａ）は、同電気掃除機の要部拡大断面図（可動係合手段と固定係合部との関係を示す）、図４（ｂ）は、同電気掃除機の要部拡大断面図（可動係合手段と第３のリブとの関係を示す）、図５（ａ）は、同可動係合手段の後方からの斜視図、図５（ｂ）は、同電気掃除機の可動係合手段の前方からの斜視図、図６は、同電気掃除機の解除ボタンの裏面斜視図である。
【００２３】
本実施の形態における電気掃除機は、前部に塵埃を捕集する集塵室１を備え後部に電動送風機２を内蔵した本体３と、一端が、本体３の前壁に設けられ集塵室１と連通する接続口４に接続され、他端に先端パイプ５を有するホース６と、一端が先端パイプ５に接続され他端が、床面から塵埃を吸引する吸込具７に接続される延長管８から構成されている。
【００２４】
先端パイプ５の上方には操作用の把手部５ａが形成され、その把手部５ａの前方には、電動送風機２や吸込具７に内蔵された回転ブラシの駆動モーター（図示せず）の運転を制御するためのスイッチ５ｂが設けられている。
【００２５】
本体３の後方両側面には走行用の後輪９が回転自在に設けられ、本体３の前方底面には同じく走行用のキャスター１０が回転自在に取着されている。
【００２６】
１３は、集塵室１の上方開口を開閉する蓋で、その後端が本体３に回動自在に取り付けられている。集塵室１の開口縁１ａには、蓋１３を閉じたときに集塵室１内を密閉するパッキン１４が取り付けられている。
【００２７】
蓋１３の前部には、可動係合手段１５が設けられ、本体３側には固定係合部２０が設けられており、蓋１３を閉じる方向に回動させた後、蓋１３の前部を押圧することにより、蓋１３側の可動係合手段１５と本体３側の固定係合部２０とが係合して、蓋１３の閉状態が維持されるようになっている。
【００２８】
蓋１３の前部には、可動係合手段１５と固定係合部２０との係合を解除する解除ボタン２５が設けられており、解除ボタン２５を押すことで、蓋１３を開くことが出来る。
【００２９】
本体３及び蓋１３のそれぞれの前端には、ハンドル部３ａ、１３ａが一体に形成され、蓋１３を閉じたときに、２つのハンドル部３ａ、１３ａが重なって一つの持ち運び用のハンドル１２を形成するようになっている。
【００３０】
図２、３に示すように、蓋１３の前部両側の裏面には、コイルバネなどからなる付勢手段２９を収納すると共に下方及び側方にスリット状の開口を有する付勢手段収納部３０が略筒状に形成されている。一方、蓋１３に設けた付勢手段収納部３０と対向する本体３側の位置には、断面略―状の板状リブ３１が突設されており、蓋１３で集塵室１を閉じ、それを押圧すると、リブ３１の先端が付勢手段収納部３０内に侵入すると共に、付勢手段２９を、その付勢力に抗して圧縮するようになっている。すなわち、付勢手段２９は、蓋１３を開方向に付勢する付勢手段となるものである。
【００３１】
次に、可動係合手段１５、固定係合部２０及び解除ボタン２５の詳細について説明する。
【００３２】
図４、５において、可動係合手段１５の上部の略中央部には、解除ボタン２５の裏面に設けたリブ２５ａに当接する当接片１５ａが突出して形成され、可動係合手段１５の上部には、蓋１３の一部との間に介在すると共にコイルバネなどからなる第２の付勢手段３３の上端を保持するバネ保持部１５ｂが設けられている。本実施の形態では、第２の付勢手段３３を、蓋１３の一部とバネ保持部１５ｂとの間に斜めに配しており、バネ保持部１５ｂを斜め上方に、すなわち、バネ保持部１５ｂを上方及び後方に付勢するようにしている。
【００３３】
また、可動係合手段１５の側壁１５ｃの略中央部の両側には、蓋１３に形成された前後方向に長い長孔１３ｂで回動自在に軸支される軸部１５ｄが一対対向して形成されている。
【００３４】
可動係合手段１５の下部の略中央部には、端部が前方に突出するように本体３に形成された固定係合部２０に前方より係合する係合爪１５ｅが形成され、更に、可動係合手段１５の下部の両側には、後ろ下がり状に突出した突出片１５ｆが形成されている。
【００３５】
解除ボタン２５の裏面に設けたリブ２５ａの一部には、後下がり状の傾斜端面２５ｂが形成されており、第２の付勢手段３３の付勢力により後方に付勢された可動係合手段１５の当接片１５ａの後端が前記傾斜端面に２５ｂに当接し、これにより解除ボタン２５に上方への付勢力が作用している。
【００３６】
また、第２の付勢手段３３の付勢力により、可動係合手段１５の当接片１５ａが上方に付勢されることにより、可動係合手段１５に回動付勢力が作用し、可動係合手段１５の係合爪１５ｅが、固定係合部２０に係合する方向に付勢されることにもなる。
【００３７】
蓋１３が閉じられたときに、可動係合手段１５の突出片１５ｆと対応する本体３側の位置には、第３のリブ３４が形成され、その第３のリブ３４の上面には、後下がり状で、かつ可動係合手段１５の突出片１５ｆが乗り上げ自在の傾斜面３４ａが形成されている。蓋１３が閉じられ、蓋１３に設けた可動係合手段１５の係合爪１５ｅが固定係合部２０に係合しているときは、可動係合手段１５の突出片１５の先端は、図４（ｂ）に示すように傾斜面３４ａの後方に位置している。
【００３８】
以上のように構成された本実施の形態における電気掃除機の動作、作用について以下に説明する。
【００３９】
蓋１３を開けて集塵室１内に、塵埃を集塵するための集塵袋（図示せず）又は集塵ボックス（図示せず）を配置し、蓋１３の前部を、付勢手段２９の付勢力に抗して押し下げると、第２の付勢手段３３で係合方向に付勢された可動係合手段１５の係合爪１５ｅが、固定係合部２０に係合し、蓋１３が閉じた状態で維持される。
【００４０】
そして、先端パイプ５に設けたスイッチ５ｂを操作して、電動送風機２を運転しながら先端パイプ５の把手部５ａを操作して、床面上で吸込具７を前後、左右に移動させることにより、床面上の塵埃が、空気と共に吸引され、延長管８、先端パイプ５、ホース６を通って集塵室１内の集塵袋又は集塵ボックスで捕集され、綺麗になった空気は、本体３の後部より排出される。
【００４１】
集塵袋又は集塵ボックスが塵埃で一杯になったときは、蓋１３を開けて、それらを取り出すことになるが、以下に蓋１３の開成動作について、図４、図７及び図８を用いて説明する。
【００４２】
図４は、前述のように、蓋１３が閉じられた状態を示しているが、図７に示すように、解除ボタン２５を少し押し下げると、可動係合手段１５の当接片１５ａの後部先端が、解除ボタン２５の裏面に設けたリブ２５ａの傾斜端面２５ｂに当接しているので、可動係合手段１５が前方に回動することなく水平に移動する。このときの可動係合手段１５の前方への移動量は、可動係合手段１５の軸部１５ｄが嵌合している長孔１３ｂの長さで規制されるが、その長さは、可動係合手段１５の係合爪１５ｅが固定係合部２０から外れるための移動距離より少し長めに設定している。したがって、解除ボタン２５を押し下げて、可動係合手段１５が前方に移動して軸部１５ｄが長孔１３ｂの前縁に達したときには、可動係合手段１５の係合爪１５ｅと固定係合部２０との係合が解除され、さらに、図７（ｂ）に示すように、可動係合手段１５の突出片１５ｆが本体３に設けた第３のリブ３４の傾斜面３４ａに当接する。
【００４３】
そして、解除ボタン２５をさらに押し下げると、図８に示すように、可動係合手段１５の当接片１５ａが解除ボタン２５のリブ２５ａの傾斜端面２５ｂに当接しているので、可動係合手段１５が、第２の付勢手段３３の付勢力に抗して、時計方向に回動し、同時に可動係合手段１５の突出片１５ｆの先端が第３のリブ３４の傾斜面３４ａを乗り上げる動作、すなわち、可動係合手段１５の突出片１５ｆが上方に押し上げられる作用をする。これにより、可動係合手段１５が取り付けられた蓋１３が上方に押し上げられ、蓋１３が確実に開成する。
【００４４】
解除ボタン２５を十分押し下げると、図８に示すように、可動係合手段１５の突出片１５ｆが、本体３側の第３のリブ３４の傾斜面３４ａを乗り上げた位置にある。そして、解除ボタン２５から指を離すと、第２の付勢手段３３の付勢力により可動係合手段１５が反時計方向に回動し、可動係合手段１５の係合爪１５ｅが固定係合部２０に係合する方向に移動しかけるが、可動係合手段１５の係合爪１５ｅが固定係合部２０に係合する前に、蓋１３に設けた付勢手段２９の付勢力により、蓋１３が上方に大きく押し上げられるので、可動係合手段１５の係合爪１５ｅが固定係合部２０に再係合することは無い。
【００４５】
また、図９（ｂ）に示すような集塵袋３５を集塵室１に装着して塵埃を集塵するように構成した場合には、この集塵袋３５の袋口３５ｂを集塵室の所定位置に位置させるための袋口保持手段３６が必要となるが、この袋口保持手段３６を利用し、蓋１３が開いた後、袋口保持手段３６が袋口３５ｂの上端に当接したときに蓋１３の開放端、すなわちハンドル部１３ａと本体３のハンドル部３ａのそれぞれの先端部での開放隙間（図９中のＧ寸法）が所定の距離となるように設定している。この距離Ｇは、指を挿入できればよく１５ｍｍ以上、好適には３０ｍｍ以上が望ましい。
【００４６】
尚、上記説明では、解除ボタン２５を徐々に押し下げた場合について説明したが、これは、動作の理解を容易にするためのものであって、実際の蓋１３の開成は、解除ボタン２５を一気に押し下げ、直ちに指を解除ボタン２５から離すことによって行われる。その間に、可動係合手段１５の係合爪１５ｅと固定係合部２０との係合が解除されると共に、蓋１３の前部が上方に押し上げられ、その後、付勢手段２９により蓋１３はある程度勢いを持って跳ね上げられるので再び閉まろうとするが、この際に袋口保持手段３６が袋口３５ｂの上端に当接することでそれ以上閉まることが無く、蓋１３のハンドル部１３ａと本体３側のハンドル部３ａの先端での隙間が所定の距離を保った状態で維持されることになる。
【００４７】
以上のように、本実施の形態によれば、解除ボタン２５を押して、可動係合手段１５と固定係合部２０との係合を解除したときに、解除ボタン２５の押し動作に連動して蓋１３を上方に持ち上げるようにしたので、蓋１３の内壁と、集塵室１の開口縁１ａに設けられたパッキン１４とが万が一密着していても、蓋１３を持ち上げて、蓋１３を確実に開成することができる。また、蓋１３を上方に持ち上げる動作が、解除ボタン２５の押し動作に連動しているので、余分な部品も必要とせず、電気掃除機を安価に構成することが出来る。
【００４８】
また、解除ボタン２５の押し動作に連動して、可動係合手段１５が前方に移動して、固定係合部２０との係合が解除されるようにしたので、可動係合手段１５を回動させて固定係合部２０との係合を解除させる従来の構成に較べ、可動係合手段１５と固定係合部２０のそれぞれの接触部分の磨耗が少なく、しかも可動係合手段１５の動作範囲を小さく出来るので、電気掃除機の小型化を図ることができる。
【００４９】
また、可動係合手段１５を固定係合部２０に係合させる方向に付勢する第２の付勢手段３３で、解除ボタン２５を上方に付勢するようにしたので、付勢手段が１個で済み電気掃除機を安価に構成することが出来る。
【００５０】
また、蓋１３を開方向に付勢する付勢手段２９を蓋１３の裏面に設けたので、特に、付勢手段２９を覆うカバーなどの別部品を用いなくとも、通常の使用時に、付勢手段２９が目につかず、美観を保つことが出来る。
【００５１】
更に、解除ボタン２５を押して、可動係合手段１５と固定係合部２０との係合を解除して蓋１３を開いたとき、蓋１３の開放端と本体３とが完全に離間するように構成している。本実施の形態では、この時の隙間が３０ｍｍ以上になるように構成することで、指をその隙間に容易に入れることができ、蓋１３を開けるのが容易である。
【００５２】
また、可動部である付勢手段２９を蓋に設けたことで、塵埃等の噛み込みによる動作不良の発生を防止出来ると共に、この付勢手段２９に当接する本体３側に設けたリブ３１を板状に形成したことで塵埃が付着しても容易に除去することが出来る。
【産業上の利用可能性】
【００５３】
以上のように、本発明にかかる電気掃除機は、集塵室を開閉する蓋を開方向に付勢する付勢手段の付勢力を必要以上に高めることなく、蓋を容易に、しかも確実に開くことが出来るもので、家庭用、店舗用、業務用の各種電気掃除機に適用できる。
【図面の簡単な説明】
【００５４】
【図１】本発明の実施の形態１における電気掃除機の全体斜視図
【図２】（ａ）同電気掃除機の本体の斜視図（蓋が開いている状態）、（ｂ）（ａ）のＡ部拡大図
【図３】（ａ）同電気掃除機の前部の要部断面図（蓋が開いてフリーの状態）、（ｂ）同電気掃除機の前部の要部断面図（蓋が閉じた状態）
【図４】（ａ）同電気掃除機の要部拡大断面図（可動係合手段の係合爪と固定係合部との関係を示す）、（ｂ）同電気掃除機の要部拡大断面図（可動係合手段の突出片と第３のリブとの関係を示す）
【図５】（ａ）同電気掃除機の可動係合手段の後方からの斜視図、（ｂ）同電気掃除機の可動係合手段の前方からの斜視図
【図６】同電気掃除機の解除ボタンの裏面斜視図
【図７】（ａ）同電気掃除機の要部拡大断面図（可動係合手段の係合爪と固定係合部との関係を示す）、（ｂ）同電気掃除機の要部拡大断面図（可動係合手段の突出片と第３のリブとの関係を示す）
【図８】（ａ）同電気掃除機の要部拡大断面図（可動係合手段の係合爪と固定係合部との関係を示す）、（ｂ）同電気掃除機の要部拡大断面図（可動係合手段の突出片と第３のリブとの関係を示す）
【図９】（ａ）同電気掃除機の要部拡大断面図（蓋の開状態を示す）、（ｂ）同電気掃除機の集塵袋の斜視図
【符号の説明】
【００５５】
１      集塵室
１ａ    開口縁
２      電動送風機
３      本体
１３    蓋
１４    パッキン
１５    可動係合手段
２０    固定係合部
２５    解除ボタン
２９    付勢手段
３１    板状リブ
３３    第２の付勢手段
３５    集塵袋
３５ｂ  袋口
３６    袋口保持手段
【図１】
2009189458.tif 000003
【図２】
2009189458.tif 000004
【図３】
2009189458.tif 000005
【図４】
2009189458.tif 000006
【図５】
2009189458.tif 000007
【図６】
2009189458.tif 000008
【図７】
2009189458.tif 000009
【図８】
2009189458.tif 000010
【図９】
2009189458.tif 000011